(57)【要約】【課題】第１の部材と、これに相対的に傾斜して配設される第２の部材との間に介在して両者の傾斜角度を微調整し且つ第２の部材を支持・補強して、第１の部材に対し確実に固定する角度調整装置及び角度調整方法を提供する。【解決手段】第１の部材に固定される固定部１１Ａ及び１１Ｂから突出した凸状湾曲面１３を有する凸状湾曲部１２を備えたベース部材１０と、凸状湾曲面１３と相補した凹状湾曲面５３を有し、凸状湾曲部１２に着脱可能に固定される凹状湾曲部５２と、凹状湾曲面５３とは反対側に設けられ、第２の部材を支持・固定する固定部５１を備えた支持部材５０を有し、凸状湾曲面１３に、その湾曲方向に対し斜めに交差して延びる凹凸１８を形成し、凹状湾曲面５３に、凹凸１８と係合した状態で相対的に摺動可能な凹凸５８を形成し、この摺動に応じて、第１の部材と第２の部材との配設角度を調整する。【選択図】図１
2008280709.tif 000002
【特許請求の範囲】
【請求項１】
第１の部材に第２の部材を相対的に傾斜させた状態で配設する際に、当該傾斜角度を調整する角度調整装置であって、
前記第１の部材に固定される第１の固定部と、当該第１の固定部から湾曲した状態で突出した凸状湾曲面を有する凸状湾曲部と、を備えたベース部材と、
前記凸状湾曲面と相補した凹状湾曲面を有し、前記凸状湾曲部に着脱可能に固定される凹状湾曲部と、当該凹状湾曲面とは反対側に設けられ、前記第２の部材を支持し且つ固定する第２の固定部と、を備えた支持部材と、
を有し、
前記凸状湾曲面に、当該湾曲方向に対し斜めに交差して延びる凹凸を形成し、前記凹状湾曲面に、当該凸状湾曲面に形成された凹凸と係合し且つ係合した状態で相対的に摺動可能な凹凸を形成し、当該相対的な摺動に応じて、前記第１の部材と第２の部材との配設角度を調整する角度調整装置。
【請求項２】
前記凸状湾曲面は、円弧状の面である請求項１記載の角度調整装置。
【請求項３】
前記凸状湾曲面は、底面が略半円形である半円筒の外周面からなる請求項１または請求項２記載の角度調整装置。
【請求項４】
前記凸状湾曲面に形成された凹凸は、互いに平行に並設された複数の長溝を有してなる請求項１ないし請求項３のいずれか一項に記載の角度調整装置。
【請求項５】
前記凸状湾曲面に形成された凹凸は、前記凸状湾曲面を円筒形の外面として形成される雄ねじの一部からなる請求項２ないし請求項４のいずれか一項に記載の角度調整装置。
【請求項６】
前記凹状湾曲面に形成された凹凸は、前記長溝に相補する形状を有する複数の凸部を有してなる請求項４記載の角度調整装置。
【請求項７】
前記凹状湾曲面に形成された凹凸は、前記雄ねじに螺合する雌ねじの一部からなる請求項５記載の角度調整装置。
【請求項８】
前記凹状湾曲面に形成された１つの凹部に、前記凸状湾曲面に形成された複数の凸部が受領される請求項１ないし請求項７のいずれか一項に記載の角度調整装置。
【請求項９】
第１の部材に第２の部材を相対的に傾斜させた状態で配設する際に、当該傾斜角度を調整する角度調整方法であって、
請求項１記載の角度調整装置を用い、
前記ベース部材に前記第１の部材を固定する工程と、
前記支持部材に第２の部材を固定する工程と、
前記第１の部材に固定されたベース部材の凹凸と、前記第２の部材が固定された支持部材の凹凸とを係合させた状態で、前記凹凸に沿って、当該支持部材をベース部材に対して相対的に摺動させ、前記第１の部材と第２の部材との配設角度を調整する工程と、
を備えた角度調整方法。
【発明の詳細な説明】
【技術分野】
【０００１】
本発明は、第１の部材に第２の部材を相対的に傾斜させた状態で配設する際に、当該傾斜角度を調整する角度調整装置及び角度調整方法に関する。
【背景技術】
【０００２】
従来から、例えば、床や地面等に階段を設置する場合、階段の傾斜角度は、通常、階高や、階段部の踏み板間の高さ、及び踏み板の踏み幅寸法等によって決定されている。しかしながら、一つの建物であっても、何種類もの階高があるのが普通であり、それぞれの階高に応じた階段を取り付けなければならないので、階段の傾斜角度をそれぞれ変更しなければならない場合がある。また、住宅等に設置される階段は、住宅の階高や階段の勾配、階段の段数によって、蹴上げの高さや段板の奥行きが異なってくるため、施工する階段毎に、その都度、寸法加工をして前記受具や桁フレーム等を用意しなければならず、手間のかかる作業となっていた。そこで、傾斜角度を容易に変更可能な様々な階段や、蹴上げの高さや段板受けを設ける間隔が異なる階段であっても、階段毎に異なる段板受けを用意する必要がない階段が提案されている。
【０００３】
傾斜角度を容易に変更可能な階段としては、例えば、踏み板、該踏み板を固定して階段部を形成するササラ桁、該ササラ桁の端部を支持固定する踊り場、前記ササラ桁及び前記踊り場に支柱及び立子を介して取り付けられる手摺り、及び前記踊り場を支持する支柱を含む構成部材が、それぞれ互いに予め枢動可能に組み立てられ、前記組み立てられた構成部材が建物等に位置決めして取り付けられるよう、上下方向に調整可能であると共に、角度調節可能に構成し、位置決めされた取り付け状態で全体を一体に固定することができるようにしたものが提案されている。（例えば、特許文献１参照）。
【０００４】
また、それぞれ２本の前部傾斜支柱と後部傾斜支柱及び上部連結杆と下部連結杆からなる平面四辺形のリンク機構に、複数枚の踏板を支持軸で所定間隔に軸着し、前記上部連結杆と前部傾斜支柱間の角度を調整して階段の傾斜角度を自在に調節させることができる角度調整機構を備えた折畳式階段も紹介されている。（例えば、特許文献２参照）。
【０００５】
さらにまた、階段部の踏み板とササラ桁、該階段部のササラ桁と前記踊り場を形成するササラ桁、前記階段部及び前記踊り場のササラ桁と前記手摺り及びそのための支柱及び立子とが、それぞれ互いに予め枢動可能に取り付けられて組み立てられ、上下方向に移動可能にかつそれに伴いそれぞれの取り付け部が角度調節可能に構成されると共に、前記踊り場と前記階段 部とのササラ桁の連結部近傍における前記踊り場の両側部には、建物等に対して平行にかつ地面に垂直に支柱が配置され、そして該支柱には前記踊り場を支持するための梁が取り付けられ、前記階段部、前記踊り場、前記手摺り等が組み立てた状態で建物等に対して位置決めすることができ、且つ、この位置決めされた取り付け状態で全体を一体に固定することができるように構成したことを特徴とする階段も紹介されている。（例えば、特許文献３参照）。
【０００６】
一方、蹴上げの高さや段板受けを設ける間隔が異なる階段であっても、階段毎に異なる段板受けを用意する必要がない階段としては、例えば、ササラ桁に段板受けが所定間隔で設けられ、該段板受けに段板が取り付けられ、前記ササラ桁には、溝がササラ桁の長手方向に沿って形成され、前記段板受けは、前記溝に、この溝からの抜け出しが防止された状態で溝の長手方向に移動自在に挿入されて所定の位置に位置決めされる挿入部と、この挿入部に立設されて前記溝から突出する脚部と、この脚部の先端部に設けられて段板が取り付けられる段板受け部と、を備えたものが紹介されている。（例えば、特許文献４参照）。
【特許文献１】特開平７−１９７６１６号公報
【特許文献２】特開平８−１５８５７４号公報
【特許文献３】特開平８−１７７１８９号公報
【特許文献４】特開２００３−１７２００８号公報
【発明の開示】
【発明が解決しようとする課題】
【０００７】
しかしながら、前述した特許文献１〜３に記載された階段は、踏み板、ササラ桁、踊り場、手摺り及び支柱等を予め組み立てることで得られる構成部材の傾斜角度を、ボルトの締め具合やラジェット等によって変更するものであり、傾斜角度の微調整を行うことが困難である。また、前記構成部材全体の傾斜角度を変更するためのものであり、例えば、踏み板の水平を維持するために角度を調整する等、部材毎に個別の角度を調整する機能は有していない。そしてまた、前記ボルトやラジェット等は、前記構成部材の上部側を枢動可能に支持するものであり、構成部材を裏面から支えて補強する機能は有していない。
【０００８】
また、前述した特許文献４に記載された階段は、住宅の階高や階段の勾配、階段の段数によって、蹴上げの高さや段板の奥行きが異なったとしても、階段毎に異なる段板受けを用意する必要がなく、当該段板受けを所定間隔で設けることができるようにしたものであり、この階段に設けられた角度調整部材は、予め決定された傾斜角度を有するテーパ面によって角度を変更するものであり、任意の角度に調整するものではない。
【０００９】
本発明は、このような事情に鑑みなされたものであり、第１の部材に第２の部材を相対的に傾斜させた状態で配設する際に、当該第１の部材と第２の部材との間に介在し、前記傾斜角度を微調整可能であると共に、第２の部材を裏面から支持して補強し、第１の部材に対し確実に固定することが可能な角度調整装置及び角度調整方法を提供することを目的とする。
【課題を解決するための手段】
【００１０】
この目的を達成するため本発明は、第１の部材に第２の部材を相対的に傾斜させた状態で配設する際に、当該傾斜角度を調整する角度調整装置であって、前記第１の部材に固定される第１の固定部と、当該第１の固定部から湾曲した状態で突出した凸状湾曲面を有する凸状湾曲部と、を備えたベース部材と、前記凸状湾曲面と相補した凹状湾曲面を有し、前記凸状湾曲部に着脱可能に固定される凹状湾曲部と、当該凹状湾曲面とは反対側に設けられ、前記第２の部材を支持し且つ固定する第２の固定部と、を備えた支持部材と、を有し、前記凸状湾曲面に、当該湾曲方向に対し斜めに交差して延びる凹凸を形成し、前記凹状湾曲面に、当該凸状湾曲面に形成された凹凸と係合し且つ係合した状態で相対的に摺動可能な凹凸を形成し、当該相対的な摺動に応じて、前記第１の部材と第２の部材との配設角度を調整する角度調整装置を提供するものである。
【００１１】
この構成を備えた角度調整装置は、ベース部材の凸状湾曲面に形成された当該湾曲方向に対し斜めに交差して延びる凹凸に、支持部材の凹状湾曲面に形成された凹凸を係合させた状態で、前記ベース部材に対し支持部材を相対的に摺動させることで、当該ベース部材に対する支持部材の配設位置が連続的に変わり、これによって、前記第１の部材と第２の部材との配設角度を調整することができる。このため、前記第１の部材に対する第２の部材の相対的な配設角度（傾斜角度）を簡単に微調整することができると共に、調整した角度を確実に維持することができる。また、前記支持部材は、前記第２の部材を支持して固定するため、当該第２の部材を安定した状態で第１の部材に対し確実に固定することができる。
【００１２】
また、本発明にかかる角度調整装置の一実施態様として、前記凸状湾曲面は、例えば、円弧状の面であってもよく、底面が略半円形である半円筒の外周面から構成されていてもよい。特に、前記凸状湾曲面が、底面が略半円形である半円筒の外周面から構成されている場合は、前記利点に加え、さらに強度が向上すると共に、より正確な角度調整を行うことができる。
【００１３】
そしてまた、本発明にかかる角度調整装置の一実施態様として、前記凸状湾曲面に形成された凹凸は、例えば、互いに平行に並設された複数の長溝を有することができる。さらにまた、前記凸状湾曲面に形成された凹凸は、当該凸状湾曲面を円筒形の外面として形成される雄ねじの一部から構成されていてもよい。
【００１４】
また、本発明にかかる角度調整装置の一実施態様として、前記凹状湾曲面に形成された凹凸は、前記長溝に相補する形状を有する複数の凸部を有していてもよく、前記雄ねじに螺合する雌ねじの一部から形成されていてもよい。
【００１５】
そしてまた、前記凹状湾曲面に形成された１つの凹部に、前記凸状湾曲面に形成された複数の凸部が受領されるよう構成することもできる。具体的には、例えば、前記凹状湾曲面に形成された１つの凹部に、凸状湾曲面に形成された凸部、凹部、凸部からなる群が受領（この場合、２つの凸部が受領）されてもよく、凸部、凹部、凸部、凹部、凸部からなる群が受領（この場合、３つの凸部が受領）されてもよい。
【００１６】
そしてまた、本発明にかかる角度調整装置は、前記第１の固定部と、前記凸状湾曲部とが一体的に形成されていてもよく、前記凹状湾曲部と、前記第２の固定部とが一体的に形成されていてもよい。
【００１７】
また、本発明は、第１の部材に第２の部材を相対的に傾斜させた状態で配設する際に、当該傾斜角度を調整する角度調整方法であって、本発明にかかる角度調整装置を用い、前記ベース部材に前記第１の部材を固定する工程と、前記支持部材に第２の部材を固定する工程と、前記第１の部材に固定されたベース部材の凹凸と、前記第２の部材が固定された支持部材の凹凸とを係合させた状態で、前記凹凸に沿って、当該支持部材をベース部材に対して相対的に摺動させ、前記第１の部材と第２の部材との配設角度を調整する工程と、を備えた角度調整方法を提供するものである。
【００１８】
これらの工程を備えた角度調整方法によれば、ベース部材の凹凸に、支持部材の凹凸を係合させた状態で、前記ベース部材に対し支持部材を相対的に摺動させることで、当該ベース部材に対する支持部材の配設位置が連続的に変わり、これによって、前記第１の部材と第２の部材との配設角度を調整することができる。このため、前記第１の部材に対する第２の部材の相対的な配設角度（傾斜角度）を簡単に微調整することができると共に、調整した角度を確実に維持することができる。
【発明の効果】
【００１９】
本発明にかかる角度調整装置は、ベース部材の凸状湾曲面に形成された凹凸に、支持部材の凹状湾曲面に形成された凹凸を係合させた状態で、前記ベース部材に対し支持部材を相対的に摺動させ、当該ベース部材に対する支持部材の配設位置を連続的に変更することで前記第１の部材と第２の部材との配設角度を微調整するため、正確な配設角度を簡単に得ることができると共に、この角度を確実に維持することができる。また、第１の部材の、前記ベース部材が固定される面の傾斜角度に係わらず、第２の部材の配設角度を決定することができる。そしてまた、第１の部材に第２の部材を配設する際に、予め配設角度を計測する必要がなく、作業時間を短縮することができる。さらにまた、前記支持部材は、前記第２の部材を支持して固定するため、当該第２の部材を安定した状態で第１の部材に対し確実に強固に固定することができるという効果も有する。
【００２０】
また、本発明にかかる角度調整方法は、ベース部材の凹凸に、支持部材の凹凸を係合させた状態で、前記ベース部材に対し支持部材を相対的に摺動させることで、当該ベース部材に対する支持部材の配設位置を連続的に変更することができる。この結果、前記第１の部材に対する第２の部材の相対的な配設角度（傾斜角度）を簡単に微調整することができると共に、調整した角度を確実に維持することができるという効果を有する。
【発明を実施するための最良の形態】
【００２１】
次に、本発明の好適な実施の形態にかかる角度調整装置及び角度調整方法について図面を参照して説明する。なお、以下に記載される実施の形態は、本発明を説明するための例示であり、本発明をこれらの実施の形態にのみ限定するものではない。したがって、本発明は、その要旨を逸脱しない限り、様々な形態で実施することができる。
【００２２】
図１は、本発明の実施の形態にかかる角度調整装置の斜視図、図２は、本発明の実施の形態にかかる角度調整装置の正面図、図３は、本発明の実施の形態にかかる角度調整装置の側面図、図４は、本発明の実施の形態にかかる角度調整装置の分解斜視図、図５は、本発明の実施の形態にかかる角度調整装置の構成要素である支持部材の平面図、図６は、本発明の実施の形態にかかる角度調整装置の構成要素である支持部材の側面図、図７は、本発明の実施の形態にかかる角度調整装置の構成要素である支持部材の底面図、図８は、本発明の実施の形態にかかる角度調整装置の構成要素である支持部材の底面の一部を拡大して示す断面図、図９は、本発明の実施の形態にかかる角度調整装置の構成要素であるベース部材の側面図、図１０は、本発明の実施の形態にかかる角度調整装置の構成要素であるベース部材の平面図、図１１は、本発明の実施の形態にかかる角度調整装置の構成要素であるベース部材の上面の一部を拡大して示す断面図、図１２は、本発明の実施の形態にかかる角度調整装置の使用状態を示す側面図、図１３は、本発明の実施の形態にかかる角度調整装置の他の使用状態を示す側面図である。
【００２３】
なお、前記各図では、説明を判りやすくするため、各部材の厚さやサイズ、拡大・縮小率等は、実際のものとは一致させずに記載した。また、本発明にかかる角度調整装置は、第１の部材に第２の部材を相対的に傾斜させた状態で配設する際に、当該傾斜角度を調整するものであり、本実施の形態では、第１の部材として階段桁を用い、第２の部材として階段の踏み板を用いた場合を例にとって説明する。
【００２４】
図１〜図１３に示すように、本実施の形態にかかる角度調整装置１は、第１の部材としての階段桁１００に固定されるベース部材１０と、ベース部材１０に着脱可能に固定されると共に、ベース部材１０に固定される側と反対側の面で第２の部材としての踏み板２００を支持して固定する支持部材５０を備えて構成されている。
【００２５】
ベース部材１０は、階段桁１００に固定される固定部１１Ａ及び１１Ｂと、固定部１１Ａと固定部１１Ｂとの間に位置し、これらから連続して円弧状に湾曲した状態で突出した凸状湾曲部１２を備えている。
【００２６】
固定部１１Ａ及び１１Ｂの略中央部には、階段桁１００にベース部材１０を固定するためのボルト１４Ａ及び１４Ｂが各々貫通するボルト孔１５Ａ及び１５Ｂが、それぞれ形成されている。そして、このボルト孔１５Ａ及び１５Ｂを貫通したボルト１４Ａ及び１４Ｂには、ナット１９Ａ及び１９Ｂが各々螺合されるようになっている。
【００２７】
凸状湾曲部１２は、中空の円筒を軸芯に沿って２分割した形状（底面が略半円形である半円筒形状）を有しており、凸状湾曲部１２の略中央部分には、凸状湾曲部１２の周方向に沿って長い長孔から形成されたボルト孔１７が形成されている。このボルト孔１７には、後に詳述する支持部材５０を固定するためのボルト１６が貫通されるようになっている。また、凸状湾曲部１２の凸状湾曲面１３の略中央部であって、ボルト孔１７が形成されている領域よりも広い領域には、複数の凹凸１８が形成されている。これらの凹凸１８は、凸状湾曲面１３を円筒形の外面として形成される雄ねじの一部から構成されている。すなわち、複数の凹凸１８は、互いに平行に並設された螺旋を構成可能な複数の長溝を有している。さらに具体的には、本実施の形態では、特に図１１に示すように、雄ねじの谷の角度が６６度であり、雄ねじの山の頂点と、この山に隣接した山の頂点とのなす角が６度である凹凸１８を形成した。
【００２８】
支持部材５０は、ベース部材１０の凸状湾曲面１３と相補した湾曲形状の凹状湾曲面５３を有し、ベース部材１０の凸状湾曲部１２に着脱可能に固定される凹状湾曲部５２と、凹状湾曲部５２に連続して形成され且つ凹状湾曲面５３とは反対側に設けられ、踏み板２００を支持・固定する固定部５１を備えている。
【００２９】
凹状湾曲部５２の凹状湾曲面５３の略中央部には、凹状湾曲面５３の周方向に対し略垂直な方向に沿って長い長孔から形成されたボルト孔５７が形成されている。このボルト孔５７には、支持部材５０をベース部材１０に固定するためのボルト１６が貫通されるようになっている。そして、このボルト孔５７を貫通したボルト１６には、ナット５９が螺合されるようになっている。また、凹状湾曲面５３には、ベース部材１０に形成された凹凸１８と螺合する複数の凹凸５８が形成されている。これらの凹凸５８は、凹状湾曲面５３を円筒形の内面として形成される雌ねじの一部から構成されている。すなわち、凹凸５８は、互いに平行に並設された螺旋を構成可能な複数の長溝を有している。さらに具体的には、本実施の形態では、特に図８に示すように、雌ねじの山の角度が６４度であり、雌ねじの山の頂点と、この山に隣接した山の頂点とのなす角が１８度である凹凸５８を形成した。したがって、本実施の形態では、凹状湾曲面５３に形成された凹凸５８のうちの１つの凹部に、凸状湾曲面１３に形成された凹凸１８のうちの凸部、凹部、凸部からなる群が受領されることになる。
【００３０】
固定部５１は、凹状湾曲部５２の凹状湾曲面５３を底面とし、支持部材５０を水平な面上に載置した際に、当該水平な面に対して傾斜する傾斜面５４を有している。傾斜面５４の略中央部には、傾斜面５４の長手方向に沿って長い長孔から形成された固定用孔５５が形成されている。この固定用孔５５には、例えば、ボルトや螺子等の図示しない固定部材によって、固定部５１に踏み板２００を固定する際に、固定部材が貫通されるようになっている。
【００３１】
次に、本実施の形態にかかる角度調整装置１の具体的動作について説明する。
【００３２】
先ず、ベース部材１０に形成されたボルト孔１５Ａ及び１５Ｂを、階段桁１００の所定位置に形成されたボルト孔１０１Ａ及び１０１Ｂに各々合わせ、これらの孔にボルト１４Ａ及び１４Ｂを各々貫通させる。次に、これらのボルト１４Ａ及び１４Ｂにナット１９Ａ及び１９Ｂを各々螺合させ、図１２に示すように、階段桁１００にベース部材１０を固定する。なお、図１２に示すように、この階段桁１００は、水平面Ｈに対し角度αで傾斜するよう配設されている。
【００３３】
次に、図１２に示すように、支持部材５０の傾斜面５４に踏み板２００を、所望の方法により固定する。次いで、踏み板２００の上面が水平になるようにしながら、踏み板２００に固定された支持部材５０のボルト孔５７と、階段桁１００に固定されたベース部材１０のボルト孔１７とを一致させ、さらに、支持部材５０に形成された凹凸５８と、ベース部材１０に形成された凹凸１８とを螺合させ、これらのボルト孔１７及び５７にボルト１６を貫通させ、ナット５９で仮止めする。この時、ボルト孔１７は、凸状湾曲面１３の周方向に沿って長い長孔から構成されているため、この仮止めの状態では、ボルト孔１７の範囲内において、支持部材５０はベース部材１０に対し、凸状湾曲面１３の周方向に沿って移動可能である。したがって、先ず、踏み板２００の上面が水平になるように、ベース部材１０に対し、支持部材５０を凸状湾曲面１３の周方向に沿って移動させて、適切な位置を決定する。また、ボルト孔５７は、凹状湾曲面５３の周方向に対し略垂直な方向に沿って長い長孔から構成されているため、支持部材５０は、ボルト孔５７の範囲内おいて、凹凸１８と凹凸５８に沿って摺動可能である。したがって、ベース部材１０に対し、支持部材５０を摺動させることで、ベース部材１０に対する支持部材５０の配設位置を連続的に変更することができる。この結果、階段桁１００と、踏み板２００との配設角度を、簡単且つ高精度で微調整することができる。また、この角度は確実に維持されるため、踏み板２００を簡単に水平に配設することができる。そしてまた、踏み板２００は、支持部材５０の傾斜面５４によって支持されているため、階段桁１００に対し安定した状態で確実に固定することができる。
【００３４】
また、図１３に示すように、図１２に示す角度αとは異なった角度βで傾斜するよう配設された階段桁１００に踏み板２００を配設する場合も、前記と同様の方法で、踏み板２００が水平となるように、簡単且つ高精度で微調整することができる。このように、ベース部材１０が固定される面の傾斜角度に係わらず、踏み板２００の配設角度を決定することができる。そしてまた、第１の部材に第２の部材を配設する際に、予め配設角度を計測する必要がなく、作業時間を短縮することができる。
【００３５】
なお、本実施の形態では、第１の部材として階段桁１００を用いた場合について説明したが、これに限らず、第１の部材は、特に限定されるものではなく、水平面に対し所定の角度で傾斜して配設された部材でもよく、水平に配設された部材であってもよい。具体的には、図１４に示すように、第１の部材が、例えば、水平な床３００であり、第２の部材が、床３００に対し、所定の角度で傾斜させて配設される階段桁１００であっても、階段桁１００の配設角度を簡単且つ高精度で微調整することもできる。また、水平面に対し所定の角度で傾斜して配設される部材としては、例えば、階段桁１００の他、梁、柱、壁、パネル、滑り台等、種々の部材が挙げられる。また、水平に配設される部材としては、階段の踏み板２００の他、床、棚板、天井、机等の作業面、あるいは計測機器等、種々の部材が挙げられる。
【００３６】
また、本実施の形態では、ベース部材１０の凸状湾曲部１２を、半円筒形状とした場合について説明したが、これに限らず、凸状湾曲部１２の形状は、凸状の湾曲面を有し、凹凸１８と凹凸５８とを係合させた状態で、ベース部材１０に対し支持部材５０を相対的に摺動可能であって、ベース部材１０が固定された第１の部材と、支持部材５０が固定された第２の部材との配設角度を調整することが可能であれば、例えば、側面形状が、任意の円弧状等、他の形状を有していてもよい。
【００３７】
また、本実施の形態では、凹凸１８が雄ねじの一部から構成された場合について説明したが、これに限らず、凹凸１８は、例えば、凸状湾曲面１３の周方向（湾曲方向）に対し斜めに交差して延びる長溝と、この長溝を画定するバンクとが交互に平行に複数形成されたものであってもよい。これは、凹凸５８も同様である。
【図面の簡単な説明】
【００３８】
【図１】本発明の実施の形態にかかる角度調整装置の斜視図である。
【図２】本発明の実施の形態にかかる角度調整装置の正面図である。
【図３】本発明の実施の形態にかかる角度調整装置の側面図である。
【図４】本発明の実施の形態にかかる角度調整装置の分解斜視図である。
【図５】本発明の実施の形態にかかる角度調整装置の構成要素である支持部材の平面図である。
【図６】本発明の実施の形態にかかる角度調整装置の構成要素である支持部材の側面図である。
【図７】本発明の実施の形態にかかる角度調整装置の構成要素である支持部材の底面図である。
【図８】本発明の実施の形態にかかる角度調整装置の構成要素である支持部材の底面の一部を拡大して示す断面図である。
【図９】本発明の実施の形態にかかる角度調整装置の構成要素であるベース部材の側面図である。
【図１０】本発明の実施の形態にかかる角度調整装置の構成要素であるベース部材の平面図である。
【図１１】本発明の実施の形態にかかる角度調整装置の構成要素であるベース部材の上面の一部を拡大して示す断面図である。
【図１２】本発明の実施の形態にかかる角度調整装置の使用状態を示す側面図である。
【図１３】本発明の実施の形態にかかる角度調整装置の他の使用状態を示す側面図である。
【図１４】本発明の他の実施の形態にかかる角度調整装置の他の使用状態を示す側面図である。
【符号の説明】
【００３９】
１    角度調整装置
１０    ベース部材
１１Ａ、１１Ｂ    固定部
１２    凸状湾曲部
１３    凸状湾曲面
１８、５８    凹凸
５０    支持部材
５１    固定部
５２    凹状湾曲部
５３    凹状湾曲面
１００    階段桁
２００    踏み板
３００    床
【図１】
2008280709.tif 000003
【図２】
2008280709.tif 000004
【図３】
2008280709.tif 000005
【図４】
2008280709.tif 000006
【図５】
2008280709.tif 000007
【図６】
2008280709.tif 000008
【図７】
2008280709.tif 000009
【図８】
2008280709.tif 000010
【図９】
2008280709.tif 000011
【図１０】
2008280709.tif 000012
【図１１】
2008280709.tif 000013
【図１２】
2008280709.tif 000014
【図１３】
2008280709.tif 000015
【図１４】
2008280709.tif 000016